(57)【要約】【課題】  構成が簡素化され、製造コストが低減したタイムレコーダを提供する。【解決手段】  モータ歯車１６ａを反時計回り方向に回転させて、揺動板１７を反時計回り方向に回転させる。第１の伝達歯車１６ｂが、第２の伝達歯車１６ｃと噛合して、キャリア駆動歯車１６ｄは時計回り方向に回転する。欠歯歯車１６２ｄと噛合したキャリアラック部１３ｃを介してキャリア１３が右方向に移動する。一方、モータ歯車１６ａを時計回り方向に回転させて、揺動板１７を時計回り方向に回転させる。第１の伝達歯車１６ｂが、ワイヤ巻き取りプーリ駆動歯車１６ｅと噛合して、ワイヤ巻き取りプーリ駆動歯車１６ｅは時計回り方向に回転する。欠歯歯車と噛合した歯車１６１ｆを介してワイヤ巻き取りプーリ１６ｆが反時計回り方向に回転して、ワイヤ１４ｃが巻き取られ、タイムカード受け部が上昇する。【選択図】  図５
2006185267.tif 000002
【特許請求の範囲】
【請求項１】
日毎に印字欄が順次設けられたタイムカードの前記印字欄に時刻を印字する印字ヘッドと、
前記印字ヘッドを搭載したキャリアを前記タイムカードの幅方向に移動するキャリア駆動機構と、
前記タイムカードを段送りする段送り機構とを備えたタイムレコーダであって、
駆動モータの正逆回転に応じて、当該駆動モータの回転力を前記キャリア駆動機構と前記段送り機構とに選択的に伝達する伝達機構を備えたことを特徴とするタイムレコーダ。
【請求項２】
前記伝達機構は、前記駆動モータの回転軸に固定されたモータ歯車と、前記モータ歯車と噛合する第１の伝達歯車と、前記モータ歯車及び前記第１の伝達歯車が回転自在に取り付けられ、前記モータ歯車の正逆回転によって前記駆動モータの回転軸を支点に揺動する揺動板とを有し、
前記キャリア駆動機構は、前記キャリアに設けられたラック部と、前記ラック部と噛合する第１の駆動歯車と、前記第１の駆動歯車と噛合するとともに前記揺動板の一方向の揺動によって前記第１の伝達歯車と噛合する第２の伝達歯車とを有し、前記第１の駆動歯車に前記回転力を伝達し、
前記段送り機構は、前記タイムカードの先端を支持するとともに段送り方向に移動可能なタイムカード受け部と、一端が前記タイムカード受け部に固定されたワイヤと、前記ワイヤの他端が固定され、前記ワイヤを巻き取るとともに、歯車を有するワイヤ巻き取りプーリと、前記ワイヤ巻き取りプーリの歯車と噛合する第２の駆動歯車と、前記第２の駆動歯車と噛合するとともに前記揺動板の他方向の揺動によって前記第１の伝達歯車と噛合する第３の伝達歯車とを有し、前記第２の駆動歯車に前記回転力を伝達する
ことを特徴とする請求項１に記載のタイムレコーダ。
【請求項３】
前記第１の駆動歯車は、欠歯歯車であり、
前記キャリアを、前記キャリア駆動機構によって移動する方向と逆方向に付勢する弾性部材を有することを特徴とする請求項２に記載のタイムレコーダ。
【請求項４】
前記第２の駆動歯車は、欠歯歯車であり、
前記タイムカード受け部を、前記段送り方向と逆方向に付勢する弾性部材を有することを特徴とする請求項２又は３に記載のタイムレコーダ。
【請求項５】
前記第２の駆動歯車の逆転を止める爪車及び当該爪車と係合する係止爪を備えたことを特徴とする請求項４に記載のタイムレコーダ。
【発明の詳細な説明】
【技術分野】
【０００１】
本発明は、印字ヘッドを搭載したキャリアを移動させてタイムカードに時刻を印字する機構と、タイムカードの印字欄を一段ずつ上昇させる等の段送り機構を有するタイムレコーダに関する。
【背景技術】
【０００２】
タイムレコーダは、例えば、企業等において勤務者の出社時、帰社時等の時刻をタイムカードに日毎に印字するものであり、勤務者の勤怠管理に用いられる。
【０００３】
現在使用されているタイムレコーダは、印字ヘッドにより、挿入されたタイムカードに時刻を印字するものが多い。印字ヘッドはキャリアに搭載され、印字ヘッドを搭載したキャリアを移動させるために例えばキャリアモータ等の駆動手段が必要とされる。
【０００４】
タイムカードには、出社時刻等を印字するための印字欄が表裏に分けて、日毎に、一ヶ月分、上から一段ずつ順次設けられている。よって、タイムカードの印字欄を使用日に対応するように一段ずつ上昇させて、印字ヘッドにより時刻を印字させるべく、タイムレコーダにはタイムカードの段送り機構が備えられている（例えば、特許文献１）。また、タイムカードの表面の印字欄が最下段に到達すると、その翌日には裏面の印字欄の最上段に印字する必要があるために、タイムカードの段送り機構のリセット機構が備えられている。これらのタイムカードの段送り機構やリセット機構にもそれぞれ駆動手段が必要とされる。
【特許文献１】特公昭６１−５６８３６号公報
【発明の開示】
【発明が解決しようとする課題】
【０００５】
しかしながら、上述したようなタイムレコーダでは、印字ヘッドを搭載したキャリアを駆動するためのキャリアモータ等の駆動手段や、タイムカードの段送り機構、段送り機構のリセット機構をそれぞれ独立に駆動するための駆動手段が必要とされるために、部品点数が増加し、構成が複雑化するとともに、製造コストがアップしてしまうという問題があった。
【０００６】
本発明は、上記実情に鑑みてなされたもので、構成が簡素化され、製造コストが低減したタイムレコーダを提供することを目的とする。
【課題を解決するための手段】
【０００７】
上記目的を達成するため、本発明のタイムレコーダは、
日毎に印字欄が順次設けられたタイムカードの前記印字欄に時刻を印字する印字ヘッドと、
前記印字ヘッドを搭載したキャリアを前記タイムカードの幅方向に移動するキャリア駆動機構と、
前記タイムカードを段送りする段送り機構とを備えたタイムレコーダであって、
駆動モータの正逆回転に応じて、当該駆動モータの回転力を前記キャリア駆動機構と前記段送り機構とに選択的に伝達する伝達機構を備えたことを特徴とする。
【０００８】
また、前記伝達機構は、前記駆動モータの回転軸に固定されたモータ歯車と、
前記モータ歯車と噛合する第１の伝達歯車と、前記モータ歯車及び前記第１の伝達歯車が回転自在に取り付けられ、前記モータ歯車の正逆回転によって前記駆動モータの回転軸を支点に揺動する揺動板とを有し、
前記キャリア駆動機構は、前記キャリアに設けられたラック部と、前記ラック部と噛合する第１の駆動歯車と、前記第１の駆動歯車と噛合するとともに前記揺動板の一方向の揺動によって前記第１の伝達歯車と噛合する第２の伝達歯車とを有し、前記第１の駆動歯車に前記回転力を伝達し、
前記段送り機構は、前記タイムカードの先端を支持するとともに段送り方向に移動可能なタイムカード受け部と、一端が前記タイムカード受け部に固定されたワイヤと、前記ワイヤの他端が固定され、前記ワイヤを巻き取るとともに、歯車を有するワイヤ巻き取りプーリと、前記ワイヤ巻き取りプーリの歯車と噛合する第２の駆動歯車と、前記第２の駆動歯車と噛合するとともに前記揺動板の他方向の揺動によって前記第１の伝達歯車と噛合する第３の伝達歯車とを有し、前記第２の駆動歯車に前記回転力を伝達するようにしてもよい。
【０００９】
また、前記第１の駆動歯車は、欠歯歯車であり、
前記キャリアを、前記キャリア駆動歯車によって移動する方向と逆方向に付勢する弾性部材を有するようにしてもよい。
【００１０】
また、前記第２の駆動歯車は、欠歯歯車であり、
前記タイムカード受け部を、前記段送り方向と逆方向に付勢する弾性部材を有するようにしてもよい。
【００１１】
また、前記第２の駆動歯車の逆転を止める爪車及び当該爪車と係合可能な係止爪を備えるようにしてもよい。
【発明の効果】
【００１２】
本発明によれば、構成が簡素化され、製造コストが低減したタイムレコーダを提供することができる。
【発明を実施するための最良の形態】
【００１３】
本発明の実施の形態に係るタイムレコーダについて、以下図面を参照して説明する。
【００１４】
この発明の実施の形態に適用されるタイムレコーダの構成の一例が図１および図２に示されている。なお、図１および図２は、タイムレコーダの内部構造の要部を表したものであり、図２は、内部構造を見易くするために、後述する駆動モータ１５、ケース１８等を省略して表している。
【００１５】
タイムレコーダ１は、図１及び図２に示すように、枠体１１と、印字ヘッド１２と、印字ヘッド１２を搭載したキャリア１３と、タイムカード１０の段送り部１４と、駆動モータ１５と、歯車等の輪列部１６とを備えている。
【００１６】
タイムカード１０には、１日毎の印字欄１０ａが表裏にそれぞれ１ヶ月の前半分、１ヶ月の後半分、上から暦の順に設けられている。タイムカード１０の１日毎の印字欄には、例えば、出社時刻、退社時刻、出社時間数等が印字される欄がそれぞれ設けられている。
【００１７】
枠体１１には、挿入されるタイムカード１０の幅方向（挿入方向と垂直方向）に延伸するキャリア１３用のキャリアガイド軸１１ａが支持されるとともに、挿入されるタイムカード１０の幅方向の長さを有する枠体ラック部１１ｂが設けられている。
【００１８】
印字ヘッド１２は、挿入されたタイムカード１０の印字欄に現在時刻、時間数等を印字するものである。印字ヘッド１２には、例えば、ドットインパクト式の印字方式のものが用いられる。キャリア１３は、印字ヘッド１２が嵌め込み等されて搭載されて、キャリアガイド軸１１ａの延伸方向に移動可能となっている。キャリア１３は、キャリアガイド軸１１ａに挿通される案内部１３ａと、枠体ラック部１１ｂと噛合する歯車１３ｂと、輪列部１６を構成する後述するキャリア駆動歯車１６ｄと噛合するキャリアラック部１３ｃと、キャリア１３全体をホームポジションへと左方向（図２）に付勢する引っ張りバネであるバネ１３ｄとを備えている。
【００１９】
タイムカード１０の段送り部１４は、タイムカード１０の使用日に対応する印字欄１０ａに印字ヘッド１２により印字させるために、タイムカード１０を上昇させて段送りするためのものである。段送り部１４は、挿入されたタイムカード１０の下端を支持するタイムカード受け部１４ａと、タイムカード１０の高さ方向（タイムカード１０の挿入方向）に突設されて枠体１１に支持されるとともにタイムカード受け部１４ａをタイムカード１０の高さ方向に移動可能にするタイムカード受け部用ガイド軸１４ｂと、タイムカード受け部１４ａと後述するワイヤ巻き取りプーリ１６ｆとの間に３つのワイヤ案内部１４ｄを介して張られたワイヤ１４ｃと、タイムカード受け部１４ａを元の基準位置へと下方向に付勢する引っ張りバネであるバネ１４ｅと、タイムカード１０の挿入を検知する等のためのタイムカード検知部１４ｆとを備えている。なお、タイムカード受け部１４ａには、タイムカード１０の下端が当接する舌片部１４１ａが形成されている。また、枠体１１にはタイムカード受け部１４ａが基準位置にあることを検出するタイムカード受け部検出部１４ｇが設けられている。また、図１、２では図示しないが、枠体１１にはキャリア１３が基準位置にあることを検出するキャリア検出部１４ｈ（図７に示す）が設けられている。キャリア検出部１４ｈは、例えば透過型ホトセンサであり、キャリア１３が基準位置にあるときにキャリア１３に設けられた突出部１３ｅ（図５（ａ）に示す）がその投光部、受光部間に位置するように設けられる。
【００２０】
駆動モータ１５は、輪列部１６を介して、キャリア１３をキャリアガイド軸１１ａに沿って右方向（図２において）に移動させるとともに、輪列部１６及びワイヤ１４ｃを介して、タイムカード受け部１４ａをタイムカード受け部用ガイド軸１４ｂに沿って上方向に移動させる駆動手段である。
【００２１】
輪列部１６は、駆動モータ１５の回転力を印字ヘッド１２のキャリア１３に伝達するとともに、駆動モータ１５の回転力をタイムカード１０の段送り部１４に伝達する歯車列等である。輪列部１６は、図３〜図６に示すように、駆動モータ１５の回転軸に挿嵌されたモータ歯車１６ａと、モータ歯車１６ａと噛合する第１の伝達歯車１６ｂと、第１の伝達歯車１６ｂと選択的に噛合する第２の伝達歯車１６ｃと、第２の伝達歯車１６ｃと噛合するキャリア駆動歯車１６ｄと、第１の伝達歯車１６ｂと選択的に噛合するワイヤ巻き取りプーリ駆動歯車１６ｅと、ワイヤ巻き取りプーリ駆動歯車１６ｅと噛合する歯車１６１ｆを有するワイヤ巻き取りプーリ１６ｆとを備えている。輪列部１６は、ケース１８（図１（ａ））の内部に軸支され、このケース１８は枠体１１に固定された取付板１９に取り付けられる。
【００２２】
また、タイムレコーダ１は、揺動片１７を備えている。揺動片１７は、モータ歯車１６ａの嵌合孔１６１ａに嵌合される突起１７ａと、第１の伝達歯車１６ｂの軸部１６１ｂが回転自在に挿嵌される軸孔１７ｂと、突起１７ａの中心軸と同一の中心軸を有するとともに揺動片１７が揺動する際の支点となる支え部１７ｃとを備えている。揺動片１７の一端の突起１７ａにはモータ歯車１６ａが回転自在に支持され、他端の軸孔１７ｂには第１の伝達歯車１６ｂの軸部１６１ｂが回転自在に支持されている。揺動片１７は、モータ歯車１６ａの回転に伴って、モータ歯車１６ａとの摩擦力で支え部１７ｃを支点として揺動する。言い換えれば、揺動片１７は、駆動モータの１５の回転軸を支点に揺動する。揺動片１７が反時計回り方向（図２および図５）に回転すると、第１の伝達歯車１６ｂは第２の伝達歯車１６ｃと噛合し、揺動片１７が時計回り方向（図２および図５）に回転すると、第１の伝達歯車１６ｂはワイヤ巻き取りプーリ駆動歯車１６ｅに噛合することになる。なお、支え部１７ｃはケース１８内に固定された支持片２０（図２（ａ））に支持される。
【００２３】
第２の伝達歯車１６ｃは、大径歯車１６１ｃ及び小径歯車１６２ｃの２段歯車により構成されており、減速歯車の役割を果たす。第２の伝達歯車１６ｃの大径歯車１６１ｃが、第１の伝達歯車１６ｂと選択的に噛合し、小径歯車１６２ｃがキャリア駆動歯車１６ｄと噛合する。
【００２４】
キャリア駆動歯車１６ｄは、キャリア１３のキャリアラック部１３ｃと噛合して、駆動モータ１５の回転力をキャリア１３に伝える歯車である。キャリア駆動歯車１６ｄは、小径歯車１６１ｄ及び欠歯歯車１６２ｄの二段歯車により構成されている。キャリア駆動歯車１６ｄの小径歯車１６１ｄが第２の伝達歯車の小径歯車１６２ｃに噛合し、欠歯歯車１６２ｄがキャリアラック部１３ｃに噛合する。欠歯歯車１６２ｄが上述の第１の駆動歯車にあたる。
【００２５】
ワイヤ巻き取りプーリ駆動歯車１６ｅは、ワイヤ巻き取りプーリ１６ｆと噛合して、駆動モータ１５の回転力をワイヤ巻き取りプーリ１６ｆに伝える歯車である。ワイヤ巻き取りプーリ駆動歯車１６ｅは、大径歯車１６１ｅ及び欠歯歯車１６２ｅの二段の歯車と爪車１６３ｅとにより構成されている。ワイヤ巻き取りプーリ駆動歯車１６ｅの大径歯車１６１ｅが、第１の伝達歯車１６ｂに噛合し、欠歯歯車１６２ｅがワイヤ巻き取りプーリ１６ｆの歯車１６１ｆと噛合する。大径歯車１６１ｅが上述の第３の伝達歯車にあたり、欠歯歯車１６２ｅが上述の第２の駆動歯車にあたる。ワイヤ巻き取りプーリ駆動歯車１６ｅの爪車１６３ｅは、係止爪２１が係合される。揺動可能な係止爪２１は、ケース１８に固定された板バネ２２（図２）により時計回り方向（図２および図５）に付勢されている。係止爪２１に係合されたワイヤ巻き取りプーリ駆動歯車１６ｅの爪車１６３ｅは、係止爪２１により反時計回り方向（図２および図５）の回転が阻止される。
【００２６】
ワイヤ巻き取りプーリ１６ｆには、図３に示すように、ワイヤ１４ｃの一端が結ばれて固定されている。ワイヤ巻き取りプーリ１６ｆが回転することにより、ワイヤ巻き取りプーリ１６ｆにワイヤ１４ｃが巻き取られ、タイムカード受け部１４ａが上昇する。
【００２７】
本実施の形態のタイムレコーダ１においては、キャリア１３のタイムカード１０の幅方向への移動とタイムカード受け部１４ａのタイムカード１０の高さ方向への移動とを１つの駆動モータ１５を正逆回転させることによって行うことができる。
【００２８】
キャリア１３をタイムカード１０の幅方向へ移動させるには、図５において、駆動モータ１５の回転軸を反時計回り方向に回転させてモータ歯車１６ａを反時計回り方向に回転させることにより、揺動板１７を反時計回り方向に回転させる。揺動板１７の反時計回り方向の回転により、時計回り方向に回転する第１の伝達歯車１６ｂが、第２の伝達歯車１６ｃと噛合して、第２の伝達歯車１６ｃからキャリア駆動歯車１６ｄに駆動モータ１５の回転力が伝達され、キャリア駆動歯車１６ｄは時計回り方向に回転する。キャリア駆動歯車１６ｄが時計回り方向に回転すると、欠歯歯車１６２ｄと噛合したキャリアラック部１３ｃを介してキャリア１３がホームポジションである左端（図１及び図２）から右方向（図５）に移動する。なお、この際、キャリア１３の歯車１３ｂと枠体ラック部１１ｂ（図１（ａ））も噛合する。なお、歯車１３ｂはキャリア１３に搭載された図示しないインクリボンを送るものである。このようにキャリア１３を右方向に移動させて、搭載した印字ヘッド１２によりタイムカード１０の印字欄１０ａに現在時刻等を印字する。キャリア１３が右方向に移動してタイムカード１０への印字を終了すると、欠歯歯車１６２ｄとキャリアラック部１３ｃとの噛合がはずれて、キャリア１３がバネ１３ｄ（図２（ａ））の付勢力により左端のホームポジションへと戻される。
【００２９】
一方、タイムカード受け部１４ａをタイムカード１０の高さ方向へ移動させるには、図５において、駆動モータ１５の回転軸を時計回り方向に回転させてモータ歯車１６ａを時計回り方向に回転させることにより、揺動板１７を時計回り方向に回転させる。揺動板１７の時計回り方向の回転により、反時計回り方向に回転する第１の伝達歯車１６ｂが、ワイヤ巻き取りプーリ駆動歯車１６ｅと噛合して、ワイヤ巻き取りプーリ駆動歯車１６ｅは時計回り方向に回転する。ワイヤ巻き取りプーリ駆動歯車１６ｅが時計回り方向に回転すると、欠歯歯車１６２ｅと噛合した歯車１６１ｆを介してワイヤ巻き取りプーリ１６ｆが反時計回り方向に回転する。ワイヤ巻き取りプーリ１６ｆが反時計回り方向に回転することにより、ワイヤ巻き取りプーリ１６ｆにワイヤ１４ｃが巻き取られ、ワイヤ１４ｃの一端が固定されたタイムカード受け部１４ａが上昇する。この際、ワイヤ巻き取りプーリ駆動歯車１６ｅの爪車１６３ｅには、係止爪２１が係合して、係止爪２１によりワイヤ巻き取りプーリ駆動歯車１６ｅを介してワイヤ巻き取りプーリ１６ｆの時計回り方向の回転が阻止される。タイムカード受け部１４ａの上昇は、タイムカード１０の印字欄１０ａの一段ごと（１日ごと）に行われるが、タイムカード１０の表面または裏面の１ヶ月の前半分または後半分が終了すると、図６に示すように、欠歯歯車１６２ｅと歯車１６１ｆとの噛合がはずれて、タイムカード受け部１４ａはバネ１４ｅの付勢力により一番下の基準の位置に戻される。
【００３０】
本実施の形態のタイムレコーダ１において、タイムカード１０に印字を行うための制御回路について図７を用いて説明する。タイムレコーダ１は、制御部３０を有し、この制御部３０は、ＣＰＵ（Central Processing Unit）３１と、メモリ３２と、駆動モータ１５用のドライバ３３と、表示部３６用のドライバ３４とを備えている。ＣＰＵ３１は、タイムレコーダ１全体の制御や演算処理等を行うものである。メモリ３２には、タイムレコーダ１を制御するためのプログラムや制御情報等が格納されている。駆動モータ１５用のドライバ３３は、ＣＰＵ３１からの制御信号に応じて、駆動モータ１５を駆動する。表示部３６用のドライバ３４は、ＣＰＵ３１からの制御信号に応じて表示部３６を駆動する。出勤／退勤ボタン３５は、出勤時刻または退勤時刻の設定を行うためのボタンである。表示部３６は、年月日や現在時刻等を表示する。時計部３７は、年月日や現在時刻データを生成する。ドライバ３８は、ＣＰＵ３１からの制御信号に応じて、印字ヘッド１２を駆動する。
【００３１】
ここで、本実施の形態のタイムレコーダ１によってタイムカード１０に印字を行う方法について説明する。ＣＰＵ３１は、時計部３７で生成された年月日、現在時刻データ等を読み込んで、ドライバ３４を駆動して表示部３６に現在時刻等を表示させる。タイムカード１０がタイムレコーダ１に挿入されると、タイムカード検出部１４ｆによりタイムカード挿入検出信号がＣＰＵ３１に入力される。ＣＰＵ３１は、出勤／退勤ボタン３５から入力された出勤時刻または退勤時刻の設定信号に応じて、タイムカード１０の出勤時刻または退勤時刻の印字欄１０ａに現在時刻を印字するための出力をドライバ３３に指示する。ドライバ３３は、指示に従って、上述したように、駆動モータ１５を駆動して、印字ヘッド１２を搭載したキャリア１３を右方向に移動させる。ＣＰＵ３１は、キャリア１３を印字位置に移動させた後に、ドライバ３８に指示して印字ヘッド１２を駆動し、タイムカード１０の印字欄１０ａに現在時刻を印字する。タイムカード１０への印字が終了すると、上述したように、キャリア１３はホームポジションに戻される。このときキャリア検出部１４ｈによりキャリア１３が基準位置にあることが検出され、検出信号がＣＰＵ３１に入力される。
【００３２】
また、ＣＰＵ３１は、例えば時計部３７で生成された現在時刻データ等により日付が変更されたと判断すると、タイムカード受け部１４ｂをタイムカード１０の印字欄１０ａの一段分上昇させるための出力をドライバ３３に指示する。ドライバ３３は、指示に従って、上述したように、駆動モータ１５を駆動して、タイムカード受け部１４ｂをタイムカード１０の一段分上昇させる。そして、タイムカード１０の表面または裏面の１ヶ月の前半分または後半分が終了すると、上述したように、タイムカード受け部１４ａは一番下の基準の位置に戻される。このときタイムカード受け部検出部１４ｇによりタイムカード受け部１４ａが基準位置にあることが検出され、検出信号がＣＰＵ３１に入力される。
【００３３】
このように本実施の形態のタイムレコーダでは、１つの駆動モータ１５を正逆回転させることによって、キャリア１３のタイムカード１０の幅方向への移動とタイムカード受け部１４ａのタイムカード１０の高さ方向への移動とをできるようにしたので、構成を簡素化することができ、部品点数が減少するために、製造コストを低減することができる。また、キャリア１３、タイムカード受け部１４ａの復帰を、それぞれ欠歯歯車１６２ｄ、１６２ｅによるキャリアラック部１３ｃ、歯車１６１ｆの開放とバネ１３ｄ、１４ｅの付勢とにより行う構成としたこともこれに寄与する。
【００３４】
以上、実施の形態を挙げて本発明を説明したが、本発明は上記実施の形態に限定されるものではなく、種々変形が可能である。例えば、本実施の形態では、キャリア１３のホームポジションを図１（ａ）および図２における左端としたが、右端とすることも可能であり、この場合には、右方向に付勢するバネを備える必要がある。
【００３５】
また、本実施の形態では、タイムカード１０の表面、裏面にそれぞれ１ヶ月の前半分、後半分の印字欄１０ａが設けられている例について説明したが、タイムカードの一面に１ヶ月分の印字欄１０ａが設けられているものについても本発明を適用することは可能である。この場合には、タイムカード１０の一面の１ヶ月分が終了した場合に、欠歯歯車１６２ｅと歯車１６１ｆとの噛合がはずれて、タイムカード受け部１４ａが一番下の基準の位置に戻されるようにすればよい。
【００３６】
また、本実施の形態では、タイムカード受け部１４ａを元の位置へと下方向に付勢する引っ張りバネであるバネ１４ｅを設ける例について説明したが、必ずしもバネ１４ｅを必要とせずに、タイムカード受け部１４ａの自重によって基準位置に戻るようにしてもよい。
【図面の簡単な説明】
【００３７】
【図１】（ａ）は、本発明の実施の形態に係るタイムレコーダの内部構造の要部を表す前方からの斜視図であり、（ｂ）は、本発明の実施の形態に係るタイムレコーダの内部構造の要部を表す後方からの斜視図である。
【図２】（ａ）は、図１に示したタイムレコーダの輪列部ケース等を省略した場合の構成を表す正面図であり、（ｂ）は、図１に示したタイムレコーダの輪列部ケース等を省略した場合の構成を表す側面図であり、（ｃ）は、図１に示したタイムレコーダの輪列部ケース等を省略した場合の構成を表す背面図である。
【図３】図１に示したタイムレコーダが備えた輪列部等の分解斜視図である。
【図４】図１に示したタイムレコーダが備えた輪列部等の組み立て後の斜視図である。
【図５】（ａ）は、図１に示したタイムレコーダが備えた輪列部等の動作を説明するための正面図であり、（ｂ）は、図１に示したタイムレコーダが備えた輪列部等の動作を説明するための側面図である。
【図６】図１に示したタイムレコーダが備えたワイヤ巻き取りプーリの動作を説明するための説明図である。
【図７】図１に示したタイムレコーダにおいて、タイムカードに印字を行うためのブロック図である。
【符号の説明】
【００３８】
１  タイムレコーダ
１０  タイムカード
１２  印字ヘッド
１３  キャリア
１４  段送り部
１４ａ  タイムカード受け部
１４ｃ  ワイヤ
１４ｅ  バネ
１５  駆動モータ
１６  輪列部
１６ａ  モータ歯車
１６ｂ  第１の伝達歯車
１６ｄ  キャリア駆動歯車
１６２ｄ  欠歯歯車
１６ｅ  ワイヤ巻き取りプーリ駆動歯車
１６２ｅ  欠歯歯車
１６ｆ  ワイヤ巻き取りプーリ
１７  揺動板
【図１】
2006185267.tif 000003
【図２】
2006185267.tif 000004
【図３】
2006185267.tif 000005
【図４】
2006185267.tif 000006
【図５】
2006185267.tif 000007
【図６】
2006185267.tif 000008
【図７】
2006185267.tif 000009